(57)【要約】【課題】樹脂により形成された計量容器の側壁部の強度を向上するとともに計量容器内に挿入された器具が側壁部の内側に引っかかることを防止する。【解決手段】使い捨て医療用品セットに含まれる医療用ビーカーである計量容器１では、側壁部１１の下段部１１２の内側面である第２内側面１１２１の上端の径が、上段部１１１の内側面である第１内側面１１１１の下端の径よりも小さくされ、接続面１１３１により第１内側面１１１１の下端と第２内側面１１２１の上端とが接続されることにより、側壁部１１の内側面１１０１に段差が形成される。これにより、側方からの荷重に対する側壁部１１の強度が向上される。また、計量容器１では、下段部１１２の第２内側面１１２１が略円筒面状とされ、第２内側面１１２１上に、中心軸Ｊ１に向かって突出する凸部が設けられない。その結果、計量容器１内に挿入された器具が側壁部１１の内側に引っかかることが防止される。【選択図】図３
2009202904.tif 000002
【特許請求の範囲】
【請求項１】
液体を計量する樹脂により形成された計量容器であって、
略円筒状の側壁部と、
前記側壁部の下端を閉塞する略円板状の底部と、
を備え、
前記側壁部の内側面が、
略円筒面状の第１内側面と、
前記第１内側面の下側に設けられるとともに上端の径が前記第１内側面の下端の径よりも小さい略円筒面状の第２内側面と、
前記第１内側面の前記下端と前記第２内側面の前記上端とを接続して段差を形成する円環状の接続面と、
を備えることを特徴とする計量容器。
【請求項２】
請求項１に記載の計量容器であって、
前記第１内側面を有する前記側壁部の上段部の上端が前記側壁部の上端であり、前記第２内側面を有する前記側壁部の下段部の下端が前記側壁部の下端であることを特徴とする計量容器。
【請求項３】
請求項２に記載の計量容器であって、
前記下段部の上端部が、前記上段部の下端部よりも厚いことを特徴とする計量容器。
【請求項４】
請求項３に記載の計量容器であって、
前記下段部の全体が、前記上段部の前記下端部よりも厚いことを特徴とする計量容器。
【請求項５】
請求項２に記載の計量容器であって、
前記下段部の外側面に沿って伸びるリブ群をさらに備えることを特徴とする計量容器。
【請求項６】
請求項５に記載の計量容器であって、
前記リブ群が、前記下段部の前記外側面に沿って上下方向に伸びるとともに周方向に配列された複数のリブであることを特徴とする計量容器。
【請求項７】
請求項２ないし６のいずれかに記載の計量容器であって、
前記下段部の上下方向の高さが、前記側壁部の前記上下方向の高さの１０％以上４５％以下であることを特徴とする計量容器。
【請求項８】
請求項７に記載の計量容器であって、
前記側壁部に容積目盛が設けられており、
前記下段部の容積が、前記容積目盛の最大値の１０％、２０％、２５％、３０％、３３％、４０％および５０％のいずれかに等しいことを特徴とする計量容器。
【請求項９】
請求項１ないし８のいずれかに記載の計量容器であって、
前記底部の下面の外周縁に沿うとともに前記底部から下側に突出する略円環状の高台をさらに備え、
前記高台の少なくとも下端部が周方向において隙間を有することを特徴とする計量容器。
【請求項１０】
請求項１ないし９のいずれかに記載の計量容器であって、
前記側壁部および前記底部が熱可塑性樹脂により形成されていることを特徴とする計量容器。
【請求項１１】
請求項１ないし１０のいずれかに記載の計量容器であって、
医療にて使用されることを特徴とする計量容器。
【請求項１２】
請求項１１に記載の計量容器であって、
使い捨て医療用品セットに含まれることを特徴とする計量容器。
【請求項１３】
使い捨て医療用品セットであって、
請求項１２に記載の計量容器と、
前記計量容器と同形状のもう１つの計量容器と、
を備え、
前記計量容器の前記底部の外径が前記もう１つの計量容器の前記接続面の内径よりも大きく、かつ、外径よりも小さく、前記計量容器が前記もう１つの計量容器内に挿入されていることを特徴とする使い捨て医療用品セット。
【請求項１４】
使い捨て医療用品セットであって、
請求項１２に記載の計量容器と、
略円筒状の側壁部、および、前記側壁部の下端を閉塞する略円板状の底部を備えるもう１つの計量容器と、
を備え、
前記計量容器の前記第２内側面と前記もう１つの計量容器の外側面との間に僅かな隙間を設けつつ前記もう１つの計量容器が前記計量容器内に挿入されていることを特徴とする使い捨て医療用品セット。
【発明の詳細な説明】
【技術分野】
【０００１】
本発明は、液体を計量する樹脂により形成された計量容器、および、当該計量容器を備える使い捨て医療用品セットに関する。
【背景技術】
【０００２】
従来より、手術室や病室等の医療施設内において医療処置が行われる際には、薬品や生理食塩水等の液体の計量にビーカー等の計量容器が利用されており、感染防止等の衛生管理の質の向上の観点から、熱可塑性樹脂製の使い捨てビーカーが利用されることが多い。
【０００３】
近年、医療処置前に行われる医療用品の準備作業の効率化、および、これらの医療用品の在庫管理の簡素化等のため、医療処置の内容に合わせて用意された複数の医療用品を梱包した使い捨て医療用品セットが使用されており、非特許文献１に示されるように、上記使い捨てビーカーが使い捨て医療用品セットに含まれる場合もある。このような使い捨て医療用品セットでは、使い捨てビーカーをトレイ上に横向きに載置して（すなわち、使い捨てビーカーの側壁部がトレイ底面に接触するように載置して）梱包することにより、当該使い捨て医療用品セットを薄型化することが行われている。
【非特許文献１】”セットパック製品（麻酔セット）”、［online］、川本産業株式会社、３頁、［平成１９年７月１９日検索］、インターネット＜http://www.kawamoto-sangyo.co.jp/products/pdf/syujyutu_p01.pdf＞
【発明の開示】
【発明が解決しようとする課題】
【０００４】
ところで、このような使い捨て医療用品セットの搬送および保管は、通常、複数の使い捨て医療用品セットが積み重ねられた状態で行われるため、下側の使い捨て医療用品セット内において、樹脂製の使い捨てビーカーに対して側壁部をトレイに向けて押圧する荷重が加えられ、使い捨てビーカーの側壁部が塑性変形してしまうおそれがある。また、複数の使い捨て医療用品セットが積み重ねられた状態で加熱されたガスの付与による滅菌処理が行われる場合もあり、荷重と熱とにより使い捨てビーカーの側壁部が大きく塑性変形する可能性もある。
【０００５】
このような問題の対策として、例えば、使い捨てビーカーの側壁部の内側面に、上下方向に伸びるとともに周方向に配列された複数の薄板状の補強部材を設けることにより側壁部の強度を向上することが考えられる。しかしながら、医療処置が行われる際には、使い捨てビーカー内の生理食塩水等に手術用の器具等の一部を浸しつつ、当該器具を使い捨てビーカー内で回転させることにより器具の洗浄等が行われることがあり、器具が側壁部の内側面から突出する補強部材に引っかかって使い捨てビーカーが倒れてしまうおそれがある。
【０００６】
本発明は、上記課題に鑑みなされたものであり、樹脂により形成された計量容器の側壁部の強度を向上することを目的としており、また、計量容器内に挿入された器具が側壁部の内側に引っかかることを防止することも目的としている。
【課題を解決するための手段】
【０００７】
請求項１に記載の発明は、液体を計量する樹脂により形成された計量容器であって、略円筒状の側壁部と、前記側壁部の下端を閉塞する略円板状の底部とを備え、前記側壁部の内側面が、略円筒面状の第１内側面と、前記第１内側面の下側に設けられるとともに上端の径が前記第１内側面の下端の径よりも小さい略円筒面状の第２内側面と、前記第１内側面の前記下端と前記第２内側面の前記上端とを接続して段差を形成する円環状の接続面とを備える。
【０００８】
請求項２に記載の発明は、請求項１に記載の計量容器であって、前記第１内側面を有する前記側壁部の上段部の上端が前記側壁部の上端であり、前記第２内側面を有する前記側壁部の下段部の下端が前記側壁部の下端である。
【０００９】
請求項３に記載の発明は、請求項２に記載の計量容器であって、前記下段部の上端部が、前記上段部の下端部よりも厚い。
【００１０】
請求項４に記載の発明は、請求項３に記載の計量容器であって、前記下段部の全体が、前記上段部の前記下端部よりも厚い。
【００１１】
請求項５に記載の発明は、請求項２に記載の計量容器であって、前記下段部の外側面に沿って伸びるリブ群をさらに備える。
【００１２】
請求項６に記載の発明は、請求項５に記載の計量容器であって、前記リブ群が、前記下段部の前記外側面に沿って上下方向に伸びるとともに周方向に配列された複数のリブである。
【００１３】
請求項７に記載の発明は、請求項２ないし６のいずれかに記載の計量容器であって、前記下段部の上下方向の高さが、前記側壁部の前記上下方向の高さの１０％以上４５％以下である。
【００１４】
請求項８に記載の発明は、請求項７に記載の計量容器であって、前記側壁部に容積目盛が設けられており、前記下段部の容積が、前記容積目盛の最大値の１０％、２０％、２５％、３０％、３３％、４０％および５０％のいずれかに等しい。
【００１５】
請求項９に記載の発明は、請求項１ないし８のいずれかに記載の計量容器であって、前記底部の下面の外周縁に沿うとともに前記底部から下側に突出する略円環状の高台をさらに備え、前記高台の少なくとも下端部が周方向において隙間を有する。
【００１６】
請求項１０に記載の発明は、請求項１ないし９のいずれかに記載の計量容器であって、前記側壁部および前記底部が熱可塑性樹脂により形成されている。
【００１７】
請求項１１に記載の発明は、請求項１ないし１０のいずれかに記載の計量容器であって、医療にて使用される。
【００１８】
請求項１２に記載の発明は、請求項１１に記載の計量容器であって、使い捨て医療用品セットに含まれる。
【００１９】
請求項１３に記載の発明は、使い捨て医療用品セットであって、請求項１２に記載の計量容器と、前記計量容器と同形状のもう１つの計量容器とを備え、前記計量容器の前記底部の外径が前記もう１つの計量容器の前記接続面の内径よりも大きく、かつ、外径よりも小さく、前記計量容器が前記もう１つの計量容器内に挿入されている。
【００２０】
請求項１４に記載の発明は、使い捨て医療用品セットであって、請求項１２に記載の計量容器と、略円筒状の側壁部、および、前記側壁部の下端を閉塞する略円板状の底部を備えるもう１つの計量容器とを備え、前記計量容器の前記第２内側面と前記もう１つの計量容器の外側面との間に僅かな隙間を設けつつ前記もう１つの計量容器が前記計量容器内に挿入されている。
【発明の効果】
【００２１】
本発明では、計量容器の側壁部の強度を向上することができるるとともに、計量容器内に挿入された物体が側壁部の内側に引っかかることを防止することができる。また、請求項３ないし６の発明では、側壁部の強度をより向上することができる。さらに、請求項８の発明では、計量容器内の液体のおよその量を容易に視認することができる。
【発明を実施するための最良の形態】
【００２２】
図１は、本発明の第１の実施の形態に係る計量容器１を示す斜視図である。計量容器１は、医療処置において薬品や生理食塩水等の液体の計量に使用される医療用ビーカーであり、図２に示すように、医療処置の内容に合わせて用意された複数の使い捨ての医療用品のセットである使い捨て医療用品セット６に含まれている。
【００２３】
図２に示す使い捨て医療用品セット６は、同形状の複数（本実施の形態では２つ）の計量容器１、複数のシリンジ６２、ドレープ６３、および、これらの構成を収容するとともに平面視において略矩形状のトレイ６１を備え、計量容器１、シリンジ６２、ドレープ６３およびトレイ６１が図示省略の包装部材により梱包されている。使い捨て医療用品セット６では、１つの計量容器１がもう１つの計量容器１内に挿入されており、これら２つの計量容器１が横向きに（すなわち、図１に示す側壁部１１をトレイ６１の底面に接触させつつ）トレイ６１上に載置される。なお、使い捨て医療用品セット６では、図２に示すシリンジ６２やドレープ６３に代えて、あるいは、シリンジ６２等に加えて、他の様々な医療用品を含んでいてもよい。
【００２４】
図１に示すように、計量容器１は、所定の中心軸Ｊ１を中心とする略円筒状の側壁部１１、側壁部１１の下端を閉塞する円板状の底部１２、および、底部１２の下面の外周縁に沿うとともに底部１２から中心軸Ｊ１に平行な方向（以下、「中心軸Ｊ１方向」という。）の下側に突出する略円環状の高台１３を備える。側壁部１１の上端である開口縁１１４には注ぎ口１４が設けられ、高台１３の下端部には複数の切り欠き１３１が設けられる。切り欠き１３１は、高台１３の下端から高台１３と底部１２との境界まで設けられていてもよい。換言すれば、高台１３の少なくとも下端部が、中心軸Ｊ１を中心とする周方向において隙間を有する。
【００２５】
計量容器１の側壁部１１、底部１２、高台１３および注ぎ口１４は、ポリプロピレン（ＰＰ）やポリエチレン（ＰＥ）、ポリスチレン（ＰＳ）、ポリカーボネート（ＰＣ）等、耐薬品性が高い熱可塑性樹脂により形成されており、本実施の形態では、ポリプロピレンを射出成型することにより、側壁部１１、底部１２、高台１３および注ぎ口１４が形成される。
【００２６】
図３は、中心軸Ｊ１を含む断面にて計量容器１を切断した縦断面図である。図１および図３に示すように、側壁部１１の内側面１１０１には、側壁部１１の内径が下方に向かって急激に減少する段差が設けられており、以下の説明では、側壁部１１の当該段差よりも上側（すなわち、開口縁１１４側）の部位、および、下側（すなわち、底部１２側）の部位をそれぞれ、「上段部１１１」および「下段部１１２」と呼ぶ。上段部１１１の上端は、側壁部１１の上端である開口縁１１４となっており、下段部１１２の下端は、側壁部１１の底部１２に接続される下端となっている。
【００２７】
本実施の形態では、側壁部１１、上段部１１１および下段部１１２の上下方向（すなわち、中心軸Ｊ１方向）の高さはそれぞれ、１００ｍｍ、７０ｍｍおよび３０ｍｍとされ、下段部１１２の高さは側壁部１１の高さの３０％である。計量容器１では、下段部１１２の上下方向の高さは、側壁部１１の上下方向の高さの１０％以上４５％以下とされる。
【００２８】
側壁部１１の内側面１１０１は、上段部１１１の内側面である略円筒面状の第１内側面１１１１下段部１１２の内側面である略円筒面状の第２内側面１１２１、および、第１内側面１１１１の中心軸Ｊ１方向の下端と第２内側面１１２１の中心軸Ｊ１方向の上端とを接続して段差を形成する円環状の接続面１１３１を備える。接続面１１３１は、下段部１１２の上端面の一部であり、中心軸Ｊ１に垂直な円環面となっている。
【００２９】
第１内側面１１１１は、注ぎ口１４が形成される部位を除き、中心軸Ｊ１を中心としておよそ中心軸Ｊ１方向を向く直線を回転した場合に形成される回転面（包絡面）であり、第１内側面１１１１の径は、下端から上端に向かって（すなわち、第１内側面１１１１と接続面１１３１との境界から開口縁１１４に向かって）漸次増大する。第１内側面１１１１の下側に設けられる第２内側面１１２１も、第１内側面１１１１と同様に、中心軸Ｊ１を中心としておよそ中心軸Ｊ１方向を向く直線を回転した場合に形成される回転面状であり、第２内側面１１２１の径も、下端から上端に向かって（すなわち、第２内側面１１２１と底部１２との境界から第２内側面１１２１と接続面１１３１との境界に向かって）漸次増大する。本実施の形態では、第１内側面１１１１の上端の径である開口縁１１４の内径（ただし、注ぎ口１４が設けられている部位を除く。以下、特に断りがない限り同様である。）は１０５ｍｍとされ、第２内側面１１２１の下端の径は８５ｍｍとされる。また、第２内側面１１２１の上端の径は、第１内側面１１１１の下端の径よりも８ｍｍ小さくされる。
【００３０】
図３に示すように、計量容器１では、下段部１１２の全体が上段部１１１の下端部（すなわち、上段部１１１の下端近傍の部位）よりも厚く、本実施の形態では、下段部１１２の厚さ、および、上段部１１１の下端部の厚さはそれぞれ、５ｍｍおよび１ｍｍとされる。上段部１１１の上部には、上段部１１１の下端部よりも厚い上部厚肉部１１１５が、中心軸Ｊ１を中心とする全周に亘って設けられており、上段部１１１の外側面である第１外側面１１１２では、上部厚肉部１１１５の外側面である上段上部外側面１１１３と上部厚肉部１１１５よりも下側の部位の外側面である上段下部外側面１１１４との間に段差が形成されている。
【００３１】
また、上段下部外側面１１１４、および、下段部１１２の外側面である第２外側面１１２２は、中心軸Ｊ１を中心としておよそ中心軸Ｊ１方向を向く１本の直線を回転した場合に形成される回転面状であり、第２外側面１１２２の下端から上段下部外側面１１１４の上端に向かって（すなわち、第２外側面１１２２と底部１２との境界から上段下部外側面１１１４と上段上部外側面１１１３との境界に向かって）径が漸次増大している。換言すれば、下段部１１２の第２外側面１１２２は、上段下部外側面１１１４を含む略円筒面上に位置しており、これにより、計量容器１の把持が容易とされる。
【００３２】
計量容器１では、図１に示すように、側壁部１１に容積目盛１１５が設けられており、容積目盛１１５の目盛線は最大値の１０％毎に設けられている。本実施の形態では、容積目盛１１５の最大値は５００ｍｌ（ミリリットル）とされ、下段部１１２の容積は２００ｍｌとされる。換言すれば、下段部１１２の容積は、容積目盛１１５の最大値の４０％に等しくされ、接続面１１３１の上下方向の位置が容積目盛１１５の目盛線に一致している。その結果、計量容器１内の液体の表面が接続面１１３１よりも上または下において目盛線の間に位置する場合であっても、接続面１１３１を基準として液体のおよその量を容易に視認することができる。なお、計量容器１では、下段部１１２の容積は、必ずしも容積目盛１１５の最大値の４０％に等しくされる必要はないが、容積目盛１１５の最大値の１０％、２０％、３０％、４０％および５０％のいずれかに等しくされることが好ましい。これにより、接続面１１３１の上下方向の位置が容積目盛１１５の目盛線に一致し、計量容器１内の液体のおよその量を容易に視認することが可能となる。
【００３３】
図４は、図２に示す使い捨て医療用品セット６において重ねられた同形状の（すなわち、構造および大きさが同じ）２つの計量容器１の縦断面図である。図４に示すように、各計量容器１では、底部１２の外径が接続面１１３１の内径よりも大きく外径よりも小さくされるため、図４中の上側の計量容器１の底部１２の外径は、図４中の下側の計量容器１の接続面１１３１の内径よりも大きく外径よりも小さくなる。その結果、下側の計量容器１の側壁部１１の内側面１１０１と、下側の計量容器１内に挿入された上側の計量容器１の側壁部１１の外側面１１０２とが密着することが防止され、その結果、重ねられた複数の計量容器１を互いに離間させることが容易とされる。
【００３４】
計量容器１では、上述のように、図３に示す側壁部１１の下段部１１２の内側面である第２内側面１１２１の上端の径が、上段部１１１の内側面である第１内側面１１１１の下端の径よりも小さくされ、接続面１１３１により、第１内側面１１１１の下端と第２内側面１１２１の上端とが接続されることにより、側壁部１１の内側面１１０１に段差が形成される。これにより、計量容器１の側壁部１１に対する側方からの荷重（すなわち、中心軸Ｊ１を中心とする径方向からの荷重）は、円環面状の接続面１１３１に対してほぼ平行な方向（すなわち、荷重により接続面１１３１の変形が生じにくい方向）から加わることとなるため、計量容器１では、側方からの荷重に対する側壁部１１の強度が向上される。その結果、側方からの荷重による計量容器１の塑性変形を抑制（または、防止）することができる。したがって、計量容器１は、搬送時や保管時、あるいは、加熱滅菌時に積み重ねられることにより荷重が加えられる使い捨て医療用品セット６に含まれてトレイ６１上に横向きに載置される医療用の計量容器に特に適している。
【００３５】
また、下段部１１２の全体が上段部１１１の下端部よりも厚くされることにより、側方からの荷重に対する側壁部１１の強度がより向上される。さらには、下段部１１２が上段部１１１の下端部と同等の厚さとされる場合に比べて、底部１２の径が増大するとともに下段部１１２の重量も増大することにより、底部１２を下にして計量容器１を立てた際の計量容器１の安定性を向上することができる。
【００３６】
側壁部１１では、下段部１１２の高さが側壁部１１の高さの１０％以上とされることが好ましく、これにより、側方からの荷重に対する側壁部１１の強度がより確実に向上される。また、下段部１１２の高さが側壁部１１の高さの４５％以下とされることにより、同容量かつ開口縁の径が同じであって内側面に段差が設けられない計量容器と比べて側壁部１１の高さが過剰に高くなることが防止されるとともに、側壁部１１の形成に使用される熱可塑性樹脂の量が過剰に多くなることを防止して計量容器１のコスト増大を抑制することができる。
【００３７】
計量容器１では、下段部１１２の第２内側面１１２１が略円筒面状（具体的には、中心軸Ｊ１を中心としておよそ中心軸Ｊ１方向を向く直線を回転した場合に形成される回転面状）とされ、第２内側面１１２１上に、中心軸Ｊ１に向かって突出するリブ等の凸部が設けられない。これにより、医療処置時に手術用の器具等を計量容器１内の液体に浸したり、その状態で回転させて器具の洗浄が行われる際等に、計量容器１内に挿入された器具等の物体が側壁部１１の内側に引っかかることが防止され、計量容器１の転倒や計量容器１内の液体の飛散等が防止される。したがって、計量容器１は、医療における使用に特に適しており、使い捨て医療用品セット６に含まれる計量容器としても特に適しているといえる。
【００３８】
また、上段部１１１の第１内側面１１１１も、注ぎ口１４が設けられる部位を除き、下段部１１２の第２内側面１１２１と同様に略円筒面状（具体的には、中心軸Ｊ１を中心としておよそ中心軸Ｊ１方向を向く直線を回転した場合に形成される回転面状）とされることにより、計量容器１内に挿入された器具が側壁部１１の内側に引っかかることがより確実に防止される。
【００３９】
計量容器１では、底部１２の下面に略円環状の高台１３が設けられることにより、底部１２の強度が向上される。その結果、側方からの荷重による計量容器１の塑性変形をより確実に抑制（または、防止）することができる。また、高台１３の下端部が周方向において隙間を有することにより、重ねられた複数の計量容器１を酸化エチレンガス等のガス雰囲気下にてガス滅菌する際に、計量容器１の高台１３の内側の部位、および、当該計量容器１が挿入された他の計量容器１において高台１３の内側と対向する部位に確実にガスを付与することができ、ガス滅菌の信頼性を向上することができる。
【００４０】
計量容器１では、上段部１１１の上端、および、下段部１１２の下端をそれぞれ側壁部１１の上端および下端とし、側壁部１１の内側面１１０１において接続面１１３１による段差を１つだけ形成することにより、計量容器１の構造が簡素化され、計量容器１の製造が容易とされる。また、側壁部１１、底部１２、高台１３および注ぎ口１４が熱可塑性樹脂により形成されるため、射出成型により計量容器１を容易に形成することができる。
【００４１】
計量容器１の容積目盛１１５の最大値は５００ｍｌには限定されず、例えば、１００ｍｌまたは２００ｍｌとされてよい。容積目盛１１５の最大値が１００ｍｌとされる場合、開口縁１１４の内径および側壁部１１の高さは、例えば、６５ｍｍおよび７２ｍｍとされ、容積目盛１１５の最大値が２００ｍｌとされる場合、開口縁１１４の内径および側壁部１１の高さは、例えば、７７ｍｍおよび８０ｍｍとされる。いずれの大きさの計量容器１も、容積目盛１１５の目盛線が最大値の１０％毎に設けられている場合、下段部１１２の容積は、容積目盛１１５の最大値の１０％、２０％、３０％、４０％および５０％のいずれかに等しくされることが好ましい。これにより、接続面１１３１の上下方向の位置が容積目盛１１５の目盛線に一致し、計量容器１内の液体のおよその量を容易に視認することが可能となる。また、容積目盛１１５の目盛線が最大値の２５％毎に設けられている場合、下段部１１２の容積が容積目盛１１５の最大値の２５％または５０％とされることにより、計量容器１内の液体のおよその量が容易に視認される。計量容器１の容積目盛１１５の最大値は、例えば、３００ｍｌとされてもよく、この場合、開口縁１１４の内径および側壁部１１の高さは、例えば、双方共に９０ｍｍとされる。当該計量容器１において容積目盛１１５の目盛線が最大値の１／３毎に設けられている場合、下段部１１２の容積が容積目盛１１５の最大値の１／３（すなわち、約３３％）とされることにより、上記と同様に、計量容器１内の液体のおよその量を容易に視認することができる。
【００４２】
図５は、容積目盛１１５の最大値がそれぞれ１００ｍｌ，２００ｍｌ，３００ｍｌおよび５００ｍｌである計量容器１ａ，１ｂ，１ｃおよび計量容器１が中心軸Ｊ１方向に重ねられた状態を示す縦断面図である。図５に示すように、計量容器１ａ，１ｂ，１ｃはそれぞれ、計量容器１と同様に、略円筒状の側壁部１１、並びに、側壁部１１の下端を閉塞する略円板状の底部１２を備える。
【００４３】
計量容器１ａは計量容器１ｂ内に挿入され、計量容器１ｂは計量容器１ｃ内に挿入され、計量容器１ｃは計量容器１に挿入されており、この状態で４つの計量容器が図６に示す使い捨て医療用品セット６ａのトレイ６１上に横向きに載置される。図５に示すように、計量容器１ａの側壁部１１の外側面１１０２と計量容器１ｂの側壁部１１の第２内側面１１２１との間、計量容器１ｂの側壁部１１の外側面１１０２と計量容器１ｃの側壁部１１の第２内側面１１２１との間、および、計量容器１ｃの側壁部１１の外側面１１０２と計量容器１の側壁部１１の第２内側面１１２１との間には僅かな隙間が設けられる。その結果、図６に示す使い捨て医療用品セット６ａ内において重ねられた複数の計量容器のがたつきが低減される。
【００４４】
使い捨て医療用品セットでは、また、略円筒状の側壁部と側壁部の下端を閉塞する略円板状の底部を備えるとともに側壁部の内側面に段差が設けられない他の計量容器が、当該計量容器の側壁部の外側面と図３に示す計量容器１の側壁部１１の第２内側面１１２１との間に僅かな隙間を設けつつ計量容器１内に挿入された状態で、これら２つの計量容器がトレイ上に横向きに載置されてもよい。この場合も、上記と同様に、使い捨て医療用品セット内において重ねられた複数の計量容器のがたつきが低減される。
【００４５】
次に、本発明の第２の実施の形態に係る計量容器について説明する。図７および図８はそれぞれ、第２の実施の形態に係る計量容器１ｄの縦断面図および底面図である。図７に示すように、計量容器１ｄでは、側壁部１１の下段部１１２の全体の厚さが、上段部１１１の下端部の厚さ（本実施の形態では、第１の実施の形態と同様に、１ｍｍ）と等しくされる。また、図７および図８に示すように、計量容器１ｄは、下段部１１２の外側面である第２外側面１１２２に沿って上下方向（すなわち、中心軸Ｊ１に平行な方向）に伸びるとともに中心軸Ｊ１を中心とする周方向に等ピッチにて配列された薄板状の複数（本実施の形態では、６つ）のリブ１５を備える。その他の構造は、図１および図３に示す計量容器１と同様であり、以下の説明では、対応する構成に同符号を付す。なお、図７では、図の理解を容易にするために、平行斜線を付すことなくリブ１５を描いている。
【００４６】
複数のリブ１５は、側壁部１１等と同様に熱可塑性樹脂により形成されており、図７に示すように、各リブ１５の上下方向に伸びるエッジ（すなわち、中心軸Ｊ１を中心とする径方向の外側のエッジ）は、側壁部１１の上段部１１１の上段下部外側面１１１４を含む略円筒面上に位置しており、これにより、計量容器１ｄの把持が容易とされる。
【００４７】
計量容器１ｄでは、第１の実施の形態と同様に、側壁部１１の下段部１１２の内側面である第２内側面１１２１の上端の径が、上段部１１１の内側面である第１内側面１１１１の下端の径よりも小さくされ、接続面１１３１により、第１内側面１１１１の下端と第２内側面１１２１の上端とが接続されることにより、側壁部１１の内側面１１０１に段差が形成される。これにより、側方からの荷重に対する側壁部１１の強度を向上することができ、側方からの荷重による計量容器１ｄの塑性変形を抑制（または、防止）することができる。
【００４８】
また、第１の実施の形態と同様に、下段部１１２の第２内側面１１２１が略円筒面状とされることにより、計量容器１ｄ内に挿入された器具が側壁部１１の内側に引っかかることが防止され、計量容器１ｄの転倒や計量容器１ｄ内の液体の飛散等が防止される。
【００４９】
第２の実施の形態に係る計量容器１ｄでは、特に、下段部１１２の第２外側面１１２２に沿う複数のリブ１５が設けられることにより、側方からの荷重に対する側壁部１１の強度がより向上される。また、各リブ１５が上下方向に伸びているため、リブが上下方向以外の方向に伸びている場合に比べて、計量容器１ｄの射出成型による製造の際に金型の離型が容易とされ、計量容器１ｄの製造を簡素化することができる。
【００５０】
計量容器１ｄでは、下段部が上段部の下端部と同等の厚さであり、かつ、リブが設けられない計量容器に比べて、底部１２近傍の部位の重量が増大することにより、底部１２を下にして計量容器１ｄを立てた際の計量容器１ｄの安定性を向上することができる。さらには、下段部１１２の全体を上段部１１１の下端部よりも厚くする場合に比べて熱可塑性樹脂の使用量を低減し、計量容器１ｄの製造コストの増大を抑制することができる。
【００５１】
以上、本発明の実施の形態について説明してきたが、本発明は上記実施の形態に限定されるものではなく、様々な変更が可能である。
【００５２】
第１の実施の形態に係る計量容器１では、側壁部１１の下段部１１２の第２外側面１１２２は、必ずしも上段下部外側面１１１４を含む略円筒面上に位置する必要はなく、当該略円筒面よりも径方向の内側または外側に位置していてもよい。例えば、下段部１１２の第２外側面１１２２が上記略円筒面よりも径方向の僅かに内側に位置する場合、当該形状により、計量容器１の把持が容易とされる。また、第２の実施の形態に係る計量容器１ｄでも同様に、各リブ１５の上下方向に伸びるエッジは、上段下部外側面１１１４を含む略円筒面よりも径方向の内側または外側に位置していてもよく、当該略円筒面よりも僅かに内側に位置することにより、計量容器１ｄの把持が容易とされる。
【００５３】
第１の実施の形態に係る計量容器では、必ずしも下段部１１２の全体が上段部１１１の下端部よりも厚くされる必要はなく、例えば、図９の縦断面図に示すように、計量容器１ｅの下段部１１２の上端部（すなわち、下段部１１２の上端近傍の部位）のみが上段部１１１の下端部よりも全周に亘って厚くされ、下段部１１２の上端部以外の部位の厚さは、上段部１１１の下端部の厚さに等しくされてもよい。このように、下段部１１２の上端部が上段部１１１の下端部よりも厚くされることにより、下段部１１２の全体の厚さが上段部１１１の下端部の厚さに等しくされる場合に比べて、側方からの荷重に対する側壁部１１の強度をより向上することができる。
【００５４】
なお、下段部１１２の上端部は、上述のように、全周に亘って連続的に厚くされてもよく、当該上端部において、複数の厚肉部が全周に亘って等ピッチにて配置されてもよい。また、図１０．Ａの底面図および図１０．Ｂの側面図に示すように、計量容器１ｆの下段部１１２の上端部から下端部へと上下方向に伸びる複数の厚肉部１６が、周方向に等ピッチてに設けられてもよい。
【００５５】
第２の実施の形態に係る計量容器では、必ずしも上下方向に伸びる複数のリブ１５が設けられる必要はなく、例えば、図１１の側面図に示すように、計量容器１ｇの下段部１１２の第２外側面１１２２に沿って周方向に伸びる円環板状の１つのリブ１５ａが設けられてもよい。換言すれば、第２の実施の形態に係る計量容器では、下段部１１２の第２外側面１１２２に沿って伸びるリブ群（すなわち、１つまたは複数のリブ）が設けられていればよく、これにより、側方からの荷重に対する側壁部１１の強度が向上される。
【００５６】
上記実施の形態に係る計量容器では、側壁部１１の接続面１１３１は、必ずしも中心軸Ｊ１に垂直な円環面とされる必要はなく、下方に向かって径が漸次減少する円環状の面（逆円錐台状の面）とされてもよい。
【００５７】
また、側壁部１１の上端部の外径が上方向に向かうに従って漸次増大し、当該上端部における上下方向に関する外径の増大率（すなわち、上下方向の単位長さ当たりの外径の増大率）が、上段部１１１の上端部以外の部位の外径の増大率よりも大きくされてもよい。このように、側壁部１１の上端部をいわゆるフレア形状とすることにより、側方からの荷重に対する側壁部１１の強度がより向上される。
【００５８】
上述の実施の形態に係る計量容器では、側壁部１１の内側面１１０１に接続面１１３１が１つだけ設けられているが、複数の接続面１１３１が側壁部１１の内側面１１０１に設けられてもよい。例えば、側壁部１１の内側面１１０１に２つの接続面が設けられる場合、内側面１１０１は、上端が側壁部１１の上端となる略円筒面状の第１内側面、第１内側面の下側に設けられるとともに上端の径が第１内側面の下端の径よりも小さい略円筒面状の第２内側面、第２内側面の下側にて下端が底部１２に接続されるとともに上端の径が第２内側面の下端の径よりも小さい略円筒面状の第３内側面、第１内側面の下端と第２内側面の上端とを接続する円環状の接続面、および、第２内側面の下端と第３内側面の上端とを接続する円環状のもう１つの接続面を備えることとなり、側方からの荷重に対する側壁部１１の強度がより向上される。
【００５９】
計量容器では、側壁部１１、底部１２、高台１３、注ぎ口１４およびリブ１５は、必ずしも熱可塑性樹脂により形成される必要はなく、他の種類の樹脂により形成されてもよい。
【００６０】
上述の計量容器は、必ずしも使い捨て医療用品セットに含まれる必要はなく、単体にて準備されて手術室等の医療施設において医療用として使用されてよい。また、上述の計量容器の構造は、医療用ビーカー以外の様々な医療用の計量容器、あるいは、医療以外の用途に使用される計量容器に適用されてよい。さらには、医療以外の他の用途に使用することを意図して製造された上記構造を有する計量容器が、使い捨て医療用品セットの構成品とされて医療用として使用されてもよい。
【図面の簡単な説明】
【００６１】
【図１】本発明の第１の実施の形態に係る計量容器の斜視図である。
【図２】使い捨て医療用品セットの平面図である。
【図３】計量容器の縦断面図である。
【図４】重ねられた計量容器の縦断面図である。
【図５】重ねられた計量容器の縦断面図である。
【図６】使い捨て医療用品セットの他の例を示す平面図である。
【図７】本発明の第２の実施の形態に係る計量容器の縦断面図である。
【図８】計量容器の底面図である。
【図９】計量容器の他の例を示す縦断面図である。
【図１０．Ａ】計量容器の他の例を示す底面図である。
【図１０．Ｂ】計量容器の他の例を示す側面図である。
【図１１】計量容器の他の例を示す側面図である。
【符号の説明】
【００６２】
１，１ａ〜１ｇ  計量容器
６，６ａ  使い捨て医療用品セット
１１  側壁部
１２  底部
１３  高台
１５，１５ａ  リブ
１１１  上段部
１１２  下段部
１１５  容積目盛
１３１  切り欠き
１１０１  内側面
１１０２  外側面
１１１１  第１内側面
１１２１  第２内側面
１１２２  第２外側面
１１３１  接続面
Ｊ１  中心軸
【図１】
2009202904.tif 000003
【図２】
2009202904.tif 000004
【図３】
2009202904.tif 000005
【図４】
2009202904.tif 000006
【図５】
2009202904.tif 000007
【図６】
2009202904.tif 000008
【図７】
2009202904.tif 000009
【図８】
2009202904.tif 000010
【図９】
2009202904.tif 000011
【図１０．Ａ】
2009202904.tif 000012
【図１０．Ｂ】
2009202904.tif 000013
【図１１】
2009202904.tif 000014